(57)【要約】【課題】複数の光源とその前方に配置されたレンズとを備えてなる車両用灯具において、複数の光源からの出射光を制御された光として灯具前方へ効率良く出射させる。【解決手段】並列に配置された第１および第２光源２０Ａ、２０Ｂの前方に光源側レンズ３０が配置され、その前方に出射側レンズ４０が配置された構成とする。その際、光源側レンズ３０における第１光源２０Ａの前方に位置する第１領域３０Ａの一部を、該第１領域３０Ａに入射した第１光源２０Ａからの光を出射側レンズ４０における第２光源２０Ｂの前方に位置する第２領域４０Ｂへ向けて偏向出射させる第１偏向部３０Ａｂ１、３０Ａｂ２として構成する。また、出射側レンズ４０における第２領域４０Ｂの一部を、第１偏向部３０Ａｂ１、３０Ａｂ２から偏向出射された第１光源２０Ａからの光を灯具正面方向寄りの方向へ向けて偏向出射させる第２偏向部４０Ｂａ１、４０Ｂａ２として構成する。【選択図】図３
2013120665.tif 000002
【特許請求の範囲】
【請求項１】
灯具前方へ向けて並列に配置された第１および第２光源と、これら第１および第２光源の前方に配置された光源側レンズと、この光源側レンズの前方に配置された出射側レンズと、を備えてなる車両用灯具において、
上記光源側レンズにおける上記第１光源の前方に位置する第１領域の一部が、該第１領域に入射した上記第１光源からの光を、上記出射側レンズにおける上記第２光源の前方に位置する第２領域へ向けて偏向出射させる第１偏向部として構成されており、
上記第２領域の一部が、上記第１偏向部から偏向出射された上記第１光源からの光を灯具正面方向寄りの方向へ向けて偏向出射させる第２偏向部として構成されている、ことを特徴とする車両用灯具。
【請求項２】
上記光源側レンズにおける上記第２光源の前方に位置する第３領域の一部が、該第３領域に入射した上記第２光源からの光を、上記出射側レンズにおける上記第１光源の前方に位置する第４領域へ向けて偏向出射させる第３偏向部として構成されており、
上記第４領域の一部が、上記第３偏向部から偏向出射された上記第２光源からの光を灯具正面方向寄りの方向へ向けて偏向出射させる第４偏向部として構成されている、ことを特徴とする請求項１記載の車両用灯具。
【請求項３】
上記第１および第２光源と並列の位置関係で、上記第２光源に関して上記第１光源とは反対側に第３光源が配置されており、
上記光源側レンズが、上記第３光源の前方に位置する第５領域を備えており、
上記出射側レンズが、上記第３光源の前方に位置する第６領域を備えており、
上記第５領域の一部が、該第５領域に入射した上記第３光源からの光を上記第２領域へ向けて偏向出射させる第５偏向部として構成されており、
上記第２領域の一部が、上記第５偏向部から偏向出射された上記第３光源からの光を灯具正面方向寄りの方向へ向けて偏向出射させる第６偏向部として構成されている、ことを特徴とする請求項１または２記載の車両用灯具。
【請求項４】
上記第３領域の一部が、該第３領域に入射した上記第２光源からの光を上記第６領域へ向けて偏向出射させる第７偏向部として構成されており、
上記第６領域の一部が、上記第７偏向部から偏向出射された上記第２光源からの光を灯具正面方向寄りの方向へ向けて偏向出射させる第８偏向部として構成されている、ことを特徴とする請求項３記載の車両用灯具。
【請求項５】
上記第１および第２光源が複数組配置されており、
これら複数組の第１および第２光源が、単一の基板上に配置された発光素子で構成されている、ことを特徴とする請求項１または２記載の車両用灯具。
【請求項６】
上記第３光源が、上記複数組の第１および第２光源と並列の位置関係で複数個配置されており、
これら複数個の第３光源が、上記基板上に配置された発光素子で構成されている、ことを特徴とする請求項５記載の車両用灯具。
【発明の詳細な説明】
【技術分野】
【０００１】
本願発明は、複数の光源とその前方に配置されたレンズとを備えてなる車両用灯具に関するものである。
【背景技術】
【０００２】
従来より、車両用灯具の構成として、複数の光源とその前方に配置されたレンズとを備えたものが広く知られている。
【０００３】
その際「特許文献１」には、このような車両用灯具において、水平方向に延びるシリンドリカルが上下方向に複数本配置されたレンズに対して、その上下両端部の後方近傍に上下１対の光源が配置された構成が記載されている。
【先行技術文献】
【特許文献】
【０００４】
【特許文献１】実開平６−５６９１０号公報
【発明の概要】
【発明が解決しようとする課題】
【０００５】
上記「特許文献１」に記載された車両用灯具においては、上下１対の光源からの光が、複数のシリンドリカルに対してランダムに入射する構成となっているので、これらを制御された光として灯具前方へ効率良く出射させることが困難である、という問題がある。
【０００６】
本願発明は、このような事情に鑑みてなされたものであって、複数の光源とその前方に配置されたレンズとを備えてなる車両用灯具において、複数の光源からの出射光を制御された光として灯具前方へ効率良く出射させることができる車両用灯具を提供することを目的とするものである。
【課題を解決するための手段】
【０００７】
本願発明は、レンズとして、光源側レンズおよび出射側レンズを備えた構成とした上で、これらの構成に工夫を施すことにより、上記目的達成を図るようにしたものである。
【０００８】
すなわち、本願発明に係る車両用灯具は、
灯具前方へ向けて並列に配置された第１および第２光源と、これら第１および第２光源の前方に配置された光源側レンズと、この光源側レンズの前方に配置された出射側レンズと、を備えてなる車両用灯具において、
上記光源側レンズにおける上記第１光源の前方に位置する第１領域の一部が、該第１領域に入射した上記第１光源からの光を、上記出射側レンズにおける上記第２光源の前方に位置する第２領域へ向けて偏向出射させる第１偏向部として構成されており、
上記第２領域の一部が、上記第１偏向部から偏向出射された上記第１光源からの光を灯具正面方向寄りの方向へ向けて偏向出射させる第２偏向部として構成されている、ことを特徴とするものである。
【０００９】
上記「第１光源」および「第２光源」の種類は特に限定されるものではなく、例えば発光ダイオード等が採用可能である。
【００１０】
上記「第１偏向部」は、光源側レンズの第１領域に入射した第１光源からの光を出射側レンズの第２領域へ向けて偏向出射させるように構成されていれば、その具体的な形状や配置は特に限定されるものではない。
【００１１】
上記「第２偏向部」は、光源側レンズの第１偏向部から偏向出射された第１光源からの光を灯具正面方向寄りの方向へ向けて偏向出射させるように構成されていれば、その具体的な形状や配置は特に限定されるものではない。その際、「灯具正面方向寄りの方向」は、光源側レンズの第１偏向部から偏向出射された第１光源からの光よりも灯具正面方向寄りの方向へ向かう光であれば、必ずしも灯具正面方向へ向かう光でなくてもよい。
【発明の効果】
【００１２】
上記構成に示すように、本願発明に係る車両用灯具は、灯具前方へ向けて並列に配置された第１および第２光源の前方に光源側レンズが配置されるとともに、この光源側レンズの前方に出射側レンズが配置された構成となっているが、その際、光源側レンズは、第１光源の前方に位置する第１領域の一部が、該第１領域に入射した第１光源からの光を、出射側レンズにおける第２光源の前方に位置する第２領域へ向けて偏向出射させる第１偏向部として構成されており、また、出射側レンズは、その第２領域の一部が、第１偏向部から偏向出射された第１光源からの光を灯具正面方向寄りの方向へ向けて偏向出射させる第２偏向部として構成されているので、次のような作用効果を得ることができる。
【００１３】
すなわち、出射側レンズは、第１光源が点灯すると、光源側レンズの第１領域をそのまま通過した光によって、第１光源の前方に位置する領域（すなわち後述する第４領域）が光って見えるだけでなく、第２光源の前方に位置する第２領域も、光源側レンズの第１偏向部から到達して、その第２偏向部から出射する光によって、その一部が光って見えることとなる。そしてこれにより出射側レンズの発光領域を拡大させることができる。
【００１４】
また、出射側レンズは、第２光源が点灯すると、光源側レンズにおける第２光源の前方に位置する領域（すなわち後述する第３領域）をそのまま通過した光によって、その前方に位置する第２領域が光って見えることとなる。
【００１５】
このように、第１光源の点灯時に、第２光源の前方に位置する出射側レンズの第２領域の一部を新たな発光面として利用することにより、第２光源の点灯時における第２領域の発光機能を維持した上で、かつ、限られたスペースの中で、第１光源の点灯時における出射側レンズの発光領域を拡大させることができる。
【００１６】
しかも、この発光領域の拡大を、光源側レンズの第１偏向部と出射側レンズの第２偏向部との組合せで実現するようになっているので、第１光源からの出射光の制御を精度良く行うことができる。
【００１７】
このように本願発明によれば、複数の光源とその前方に配置されたレンズとを備えてなる車両用灯具において、複数の光源からの出射光を制御された光として灯具前方へ効率良く出射させることができる。
【００１８】
上記構成において、光源側レンズにおける第２光源の前方に位置する第３領域の一部が、該第３領域に入射した第２光源からの光を、出射側レンズにおける第１光源の前方に位置する第４領域へ向けて偏向出射させる第３偏向部として構成されたものとするとともに、出射側レンズにおける第４領域の一部が、第３偏向部から偏向出射された第２光源からの光を灯具正面方向寄りの方向へ向けて偏向出射させる第４偏向部として構成されたものとすれば、次のような作用効果を得ることができる。
【００１９】
すなわち、第２光源の点灯時においても、第１光源の前方に位置する出射側レンズの第４領域の一部を新たな発光面として利用することにより、第１光源の点灯時における第４領域の発光機能を維持した上で、かつ、限られたスペースの中で、第２光源の点灯時における出射側レンズの発光領域を拡大させることができる。しかも、この発光領域の拡大を、光源側レンズの第３偏向部と出射側レンズの第４偏向部との組合せで実現するようになっているので、第２光源からの出射光の制御を精度良く行うことができる。
【００２０】
上記構成において、第１および第２光源と並列の位置関係で、第２光源に関して第１光源とは反対側に第３光源が配置された構成とし、かつ、光源側レンズが第３光源の前方に位置する第５領域を備えるとともに、出射側レンズが第３光源の前方に位置する第６領域を備えた構成とした上で、第５領域の一部が、該第５領域に入射した第３光源からの光を第２領域へ向けて偏向出射させる第５偏向部として構成されたものとするとともに、その第２領域の一部が、第５偏向部から偏向出射された第３光源からの光を灯具正面方向寄りの方向へ向けて偏向出射させる第６偏向部として構成されたものとすれば、次のような作用効果を得ることができる。
【００２１】
すなわち、出射側レンズは、第３光源が点灯すると、光源側レンズの第５領域をそのまま通過した光によって、第３光源の前方に位置する領域（すなわち後述する第６領域）が光って見えるだけでなく、第２光源の前方に位置する第２領域も、その第６偏向部から出射する光によって、その一部が光って見えることとなる。そしてこれにより出射側レンズの発光領域を拡大させることができる。
【００２２】
また、出射側レンズは、第２光源が点灯すると、光源側レンズの第３領域をそのまま通過した光によって、その前方に位置する第２領域が光って見えることとなる。
【００２３】
このように、第３光源の点灯時においても、第２光源の前方に位置する出射側レンズの第２領域の一部を新たな発光面として利用することにより、第２光源の点灯時における第２領域の発光機能を維持した上で、かつ、限られたスペースの中で、第３光源の点灯時における出射側レンズの発光領域を拡大させることができる。しかも、この発光領域の拡大を、光源側レンズの第５偏向部と出射側レンズの第６偏向部との組合せで実現するようになっているので、第３光源からの出射光の制御を精度良く行うことができる。
【００２４】
この場合において、光源側レンズにおける第２光源の前方に位置する第３領域の一部が、該第３領域に入射した第２光源からの光を、出射側レンズにおける第３光源の前方に位置する第６領域へ向けて偏向出射させる第７偏向部として構成されたものとするとともに、出射側レンズにおける第６領域の一部が、第７偏向部から偏向出射された第２光源からの光を灯具正面方向寄りの方向へ向けて偏向出射させる第８偏向部として構成されたものとすれば、次のような作用効果を得ることができる。
【００２５】
すなわち、第２光源の点灯時においても、第３光源の前方に位置する出射側レンズの第６領域の一部を新たな発光面として利用することにより、第３光源の点灯時における第６領域の発光機能を維持した上で、かつ、限られたスペースの中で、第２光源の点灯時における出射側レンズの発光領域をさらに拡大させることができる。しかも、この発光領域の拡大を、光源側レンズの第７偏向部と出射側レンズの第８偏向部との組合せで実現するようになっているので、第２光源からの出射光の制御を精度良く行うことができる。
【００２６】
上記構成において、第１および第２光源が複数組配置された構成とした上で、これら複数組の第１および第２光源が、単一の基板上に配置された発光素子で構成されたものとすれば、複数組の第１および第２光源により、出射側レンズを広範囲にわたって明るく発光させることができ、かつ、複数組の第１および第２光源を省スペースで効率良く配置することができる。
【００２７】
この場合において、第３光源が、複数組の第１および第２光源と並列の位置関係で複数個配置された構成とした上で、これら複数個の第３光源が、上記基板上に配置された発光素子で構成されたものとすれば、複数組の第１、第２および第３光源により、出射側レンズをさらに広範囲にわたって明るく発光させることができ、かつ、複数組の第１、第２および第３光源を省スペースで効率良く配置することができる。
【図面の簡単な説明】
【００２８】
【図１】本願発明の一実施形態に係る車両用灯具を示す平断面図
【図２】図１のII−II線断面図
【図３】上記実施形態の主要部を取り出して示す、図１と同様の図
【図４】上記実施形態の変形例を示す、図１と同様の図
【図５】図４のＶ−Ｖ線断面図
【図６】上記変形例の主要部を取り出して示す、図４と同様の図
【図７】図６と同様の図
【発明を実施するための形態】
【００２９】
以下、図面を用いて、本願発明の実施の形態について説明する。
【００３０】
図１は、本願発明の一実施形態に係る車両用灯具１０を示す平断面図であり、図２は、図１のII−II線断面図である。また、図３は、上記実施形態の主要部を取り出して示す、図１と同様の図である。
【００３１】
これらの図に示すように、この車両用灯具１０は、ランプボディ１２とこのランプボディ１２の前端開口部に取り付けられた素通し状の透光カバー１４とで形成される灯室内に、第１および第２光源２０Ａ、２０Ｂと光源側レンズ３０と出射側レンズ４０とが組み込まれた構成となっている。
【００３２】
そして、この車両用灯具１０は、テールランプとしての機能とストップランプとしての機能とを果たすようになっている。その際、この車両用灯具１０は、テールランプの点灯モードでは、第１光源２０Ａのみが点灯し、ストップランプの点灯モードでは、図３に示すように、第１および第２光源２０Ａ、２０Ｂが同時に点灯するようになっている。
【００３３】
第１および第２光源２０Ａ、２０Ｂは、灯具前方へ向けて並列に配置されている。これら第１および第２光源２０Ａ、２０Ｂは、いずれも赤色の発光ダイオードで構成されており、左右方向に所定間隔をおいて単一の基板２２上に配置されている。この基板２２は、ランプボディ１２に固定支持されている。
【００３４】
光源側レンズ３０は、無色透明の透光部材で構成されており、灯具正面視において横長矩形状の外形形状を有している。
【００３５】
この光源側レンズ３０は、第１光源２０Ａの前方に位置する第１領域３０Ａと、第２光源２０Ｂの前方に位置する第３領域３０Ｂとを備えており、その左右両端部においてランプボディ１２に固定支持されている。これら第１および第３領域３０Ａ、３０Ｂは、左右対称の形状を有している。
【００３６】
一方、出射側レンズ４０も、無色透明の透光部材で構成されており、灯具正面視において横長矩形状の外形形状を有している。
【００３７】
この出射側レンズ４０は、第１光源２０Ａの前方（すなわち光源側レンズ３０の第１領域３０Ａの前方）に位置する第４領域４０Ａと、第２光源２０Ｂの前方（すなわち光源側レンズ３０の第２領域３０Ｂの前方）に位置する第２領域４０Ｂとを備えており、その左右両端部においてランプボディ１２に固定支持されている。これら第４および第２領域４０Ａ、４０Ｂは、左右対称の形状を有している。
【００３８】
次に、これら光源側レンズ３０および出射側レンズ４０の具体的な構成について説明する。
【００３９】
まず、光源側レンズ３０の第１領域３０Ａの構成について説明する。
【００４０】
この第１領域３０Ａは、第１光源２０Ａからの出射光を、その後面３０Ａａから入射させて、その前面３０Ａｂから灯具前方へ向けて出射させるように構成されている。
【００４１】
この第１領域３０Ａの後面３０Ａａは、第１光源２０Ａの発光中心を通るようにして灯具前後方向に延びる軸線ＡｘＡの近傍において、第１光源２０Ａからの光を灯具正面方向へ向かう光として入射させる入射部３０Ａａ１と、この入射部３０Ａａ１の左右両側において第１光源２０Ａからの光を灯具正面方向から左右両側に離れる方向へ向かう光として入射させる左右１対の入射部３０Ａａ２と、これら第２入射部３０Ａａ２から入射した第１光源２０Ａからの光を灯具正面方向へ向けて全反射により内面反射させる左右１対の反射部３０Ａａ３とで構成されている。
【００４２】
この第１領域３０Ａの後面３０Ａａは、同一断面形状で上下方向に延びるように形成されている。
【００４３】
一方、この第１領域３０Ａの前面３０Ａｂは、軸線ＡｘＡと直交する鉛直面に沿って延びる基準面部３０Ａｂ０と、この基準面部３０Ａｂ０から軸線ＡｘＡの左右両側の２箇所において灯具前方へ向けて略楔状に突出する２つの第１偏向部３０Ａｂ１、３０Ａｂ２とで構成されている。そして、その基準面部３０Ａｂ０においては、第１領域３０Ａの後面３０Ａａから入射した第１光源２０Ａからの光を、そのまま灯具正面方向へ向けて出射させるとともに、各第１偏向部３０Ａｂ１、３０Ａｂ２においては、第１領域３０Ａの後面３０Ａａから入射した第１光源２０Ａからの光を、全反射により内面反射させた後、出射側レンズ４０の第２領域４０Ｂへ向けてそれぞれ偏向出射させるようになっている。
【００４４】
この第１領域３０Ａの前面３０Ａｂは、同一断面形状で上下方向に延びるように形成されている。
【００４５】
次に、光源側レンズ３０の第３領域３０Ｂの構成について説明する。
【００４６】
この第３領域３０Ｂは、上述したように、第１領域３０Ａと左右対称の形状を有している。
【００４７】
すなわち、この第３領域３０Ｂの後面３０Ｂａは、灯具前後方向に延びる軸線ＡｘＢの近傍に位置する入射部３０Ｂａ１と、その両側に位置する左右１対の入射部３０Ｂａ２と、その両側に位置する左右１対の反射部３０Ｂａ３とで構成されている。また、この第３領域３０Ｂの前面３０Ｂｂは、軸線ＡｘＢと直交する鉛直面に沿って延びる基準面部３０Ａｂ０と、この基準面部３０Ａｂ０から灯具前方へ向けて略楔状に突出する２つの第３偏向部３０Ａｂ１、３０Ａｂ２とで構成されている。
【００４８】
そして、この第３領域３０Ｂは、その後面３０Ｂａから入射して灯具正面方向へ向かう第２光源２０Ｂからの光を、その前面３０Ｂｂの基準面部３０Ｂｂ０においては、そのまま灯具正面方向へ向けて出射させるとともに、各第３偏向部３０Ｂｂ１、３０Ｂｂ２においては、全反射により内面反射させた後、出射側レンズ４０の第４領域４０Ａへ向けてそれぞれ偏向出射させるようになっている。
【００４９】
次に、出射側レンズ４０の第４領域４０Ａの構成について説明する。
【００５０】
この第４領域４０Ａの後面４０Ａａは、軸線ＡｘＡと直交する鉛直面に沿って延びる基準面部４０Ａａ０と、この基準面部４０Ａａ０から軸線ＡｘＡの左右両側の２箇所において灯具後方へ向けて楔状に突出する２つの第４偏向部４０Ａａ１、４０Ａａ２とで構成されている。その際、２つの第４偏向部４０Ａａ１、４０Ａａ２は、灯具正面視において第１領域３０Ａの前面３０Ａｂの２つの第１偏向部３０Ａｂ１、３０Ａｂ２と略重複する位置に形成されている。
【００５１】
そして、これら２つの第４偏向部４０Ａａ１、４０Ａａ２は、光源側レンズ３０の第３領域３０Ｂの２つの第３偏向部３０Ｂｂ１、３０Ｂｂ２から偏向出射された第２光源２０Ｂからの光を、全反射により内面反射させた後、灯具正面方向寄りの方向（具体的には灯具正面方向）へ向けてそれぞれ偏向入射させるようになっている。その際、図３において、右側に位置する第３偏向部３０Ｂｂ１から偏向出射した光を、右側に位置する第４偏向部４０Ａａ１で灯具正面方向へ偏向入射させるとともに、左側に位置する第３偏向部３０Ｂｂ２から偏向出射した光を、左側に位置する第４偏向部４０Ａａ２で灯具正面方向へ偏向入射させるようになっている。これを実現するため、２つの第４偏向部４０Ａａ１、４０Ａａ２は、その左右１対の傾斜面の傾斜角が互いに異なる値に設定されている。
【００５２】
この第４領域４０Ａの後面４０Ａａは、同一断面形状で上下方向に延びるように形成されている。
【００５３】
一方、この出射側レンズ４０の第４領域４０Ａの前面４０Ａｂは、軸線ＡｘＡと直交する鉛直面内において、上下および左右方向に区分けされた複数のセグメントの各々に対して、魚眼レンズ部４０Ａｂｓが割り付けられた構成となっている。
【００５４】
そして、これら各魚眼レンズ部４０Ａｂｓは、第１領域３０Ａの前面３０Ａｂの基準面部３０Ａｂ０から出射して、第４領域４０Ａの後面４０Ａａの基準面部４０Ａａ０から入射した第１光源２０Ａからの光、および、第３領域３０Ｂの各第３偏向部３０Ｂｂ１、３０Ｂｂ２から偏向出射して、第４領域４０Ａの各第４偏向部４０Ａａ１、４０Ａａ２から入射した第２光源２０Ｂからの光を、灯具正面方向を中心にして上下および左右方向に拡散出射させるようになっている。
【００５５】
次に、出射側レンズ４０の第２領域４０Ｂの構成について説明する。
【００５６】
この第２領域４０Ｂは、上述したように、第４領域４０Ａと左右対称の形状を有している。
【００５７】
すなわち、この第２領域４０Ｂの後面４０Ｂａは、軸線ＡｘＢと直交する鉛直面に沿って延びる基準面部４０Ｂａ０と、この基準面部４０Ｂａ０から軸線ＡｘＢの左右両側の２箇所において灯具後方へ向けて楔状に突出する２つの第２偏向部４０Ｂａ１、４０Ｂａ２とで構成されている。
【００５８】
そして、これら２つの第２偏向部４０Ｂａ１、４０Ｂａ２は、光源側レンズ３０の第１領域３０Ａの２つの第１偏向部３０Ａｂ１、３０Ａｂ２から偏向出射された第１光源２０Ａからの光を、全反射により内面反射させた後、灯具正面方向寄りの方向（具体的には灯具正面方向）へ向けてそれぞれ偏向入射させるようになっている。
【００５９】
また、この出射側レンズ４０の第２領域４０Ｂの前面４０Ｂｂは、軸線ＡｘＢと直交する鉛直面内において、上下および左右方向に区分けされた複数のセグメントに対して、魚眼レンズ部４０Ｂｂｓがそれぞれ割り付けられた構成となっている。
【００６０】
そして、これら各魚眼レンズ部４０Ｂｂｓは、第３領域３０Ｂの前面３０Ｂｂの基準面部３０Ｂｂ０から出射して、第２領域４０Ｂの後面４０Ｂａの基準面部４０Ｂａ０から入射した第２光源２０Ｂからの光、および、第１領域３０Ａの各第１偏向部３０Ａｂ１、３０Ａｂ２から偏向出射して、第２領域４０Ｂの各第２偏向部４０Ｂａ１、４０Ｂａ２から入射した第１光源２０Ａからの光を、灯具正面方向を中心にして上下および左右方向に拡散出射させるようになっている。
【００６１】
次に、本実施形態の作用効果について説明する。
【００６２】
本実施形態に係る車両用灯具１０は、灯具前方へ向けて並列に配置された第１および第２光源２０Ａ、２０Ｂの前方に光源側レンズ３０が配置されるとともに、この光源側レンズ３０の前方に出射側レンズ４０が配置された構成となっているが、その際、光源側レンズ３０は、第１光源２０Ａの前方に位置する第１領域３０Ａの一部が、該第１領域３０Ａに入射した第１光源２０Ａからの光を、出射側レンズ４０における第２光源２０Ｂの前方に位置する第２領域４０Ｂへ向けて偏向出射させる第１偏向部３０Ａｂ１、３０Ａｂ２として構成されており、また、出射側レンズ４０は、その第２領域４０Ｂの一部が、第１偏向部３０Ａｂ１、３０Ａｂ２から偏向出射された第１光源２０Ａからの光を灯具正面方向寄りの方向へ向けて偏向出射させる第２偏向部４０Ｂａ１、４０Ｂａ２として構成されているので、次のような作用効果を得ることができる。
【００６３】
すなわち、出射側レンズ４０は、第１光源２０Ａが点灯すると、光源側レンズ３０の第１領域３０Ａをそのまま通過した光によって、第１光源２０Ａの前方に位置する第４領域４０Ａが光って見えるだけでなく、第２光源２０Ｂの前方に位置する第２領域４０Ｂも、光源側レンズ３０の第１偏向部３０Ａｂ１、３０Ａｂ２から到達して、その第２偏向部４０Ｂａ１、４０Ｂａ２から出射する光によって、その一部が光って見えることとなる。そしてこれにより出射側レンズ４０の発光領域を拡大させることができる。
【００６４】
また、出射側レンズ４０は、第２光源２０Ｂが点灯すると、光源側レンズ３０における第２光源２０Ｂの前方に位置する第３領域３０Ｂをそのまま通過した光によって、その前方に位置する第２領域４０Ｂが光って見えることとなる。
【００６５】
このように、第１光源２０Ａの点灯時に、第２光源２０Ｂの前方に位置する出射側レンズ４０の第２領域４０Ｂの一部を新たな発光面として利用することにより、第２光源２０Ｂの点灯時における第２領域４０Ｂの発光機能を維持した上で、かつ、限られたスペースの中で、第１光源２０Ａの点灯時における出射側レンズ４０の発光領域を拡大させることができる。
【００６６】
しかも、この発光領域の拡大を、光源側レンズ３０の第１偏向部３０Ａｂ１、３０Ａｂ２と出射側レンズ４０の第２偏向部４０Ｂａ１、４０Ｂａ２との組合せで実現するようになっているので、第１光源２０Ａからの出射光の制御を精度良く行うことができる。
【００６７】
このように本実施形態によれば、第１および第２光源２０Ａ、２０Ｂとその前方に配置されたレンズ（すなわち光源側レンズ３０および出射側レンズ４０）とを備えてなる車両用灯具１０において、第１および第２光源２０Ａ、２０Ｂからの出射光を制御された光として灯具前方へ効率良く出射させることができる。
【００６８】
本実施形態においては、第１および第２光源２０Ａ、２０Ｂが、単一の基板２２上に配置された発光素子で構成されているので、これらを省スペースで効率良く配置することができる。
【００６９】
また本実施形態においては、光源側レンズ３０における第２光源２０Ｂの前方に位置する第３領域３０Ｂの一部が、該第３領域３０Ｂに入射した第２光源２０Ｂからの光を、出射側レンズ４０における第１光源２０Ａの前方に位置する第４領域４０Ａへ向けて偏向出射させる第３偏向部３０Ｂｂ１、３０Ｂｂ２として構成されており、また、出射側レンズ４０における第４領域４０Ａの一部が、第３偏向部３０Ｂｂ１、３０Ｂｂ２から偏向出射された第２光源２０Ｂからの光を灯具正面方向寄りの方向へ向けて偏向出射させる第４偏向部４０Ａａ１、４０Ａａ２として構成されているので、次のような作用効果を得ることができる。
【００７０】
すなわち、第２光源２０Ｂの点灯時においても、第１光源２０Ａの前方に位置する出射側レンズ４０の第４領域４０Ａの一部を新たな発光面として利用することにより、第１光源２０Ａの点灯時における第４領域４０Ａの発光機能を維持した上で、かつ、限られたスペースの中で、第２光源２０Ｂの点灯時における出射側レンズ４０の発光領域を拡大させることができる。しかも、この発光領域の拡大を、光源側レンズ３０の第３偏向部３０Ｂｂ１、３０Ｂｂ２と出射側レンズ４０の第４偏向部４０Ａａ１、４０Ａａ２との組合せで実現するようになっているので、第２光源２０Ｂからの出射光の制御を精度良く行うことができる。
【００７１】
そして本実施形態においては、第１光源２０Ａを点灯させることにより、出射側レンズ４０をテールランプに適した明るさの赤色で広範囲にわたって発光させることができ、また、第１および第２光源２０Ａ、２０Ｂを同時に点灯させることにより、出射側レンズ４０をストップランプに適した明るさの赤色で広範囲にわたって発光させることができる。
【００７２】
次に、上記実施形態の変形例について説明する。
【００７３】
図４は、本変形例に係る車両用灯具１１０を示す、図１と同様の図である。また、図５は、図４のＶ−Ｖ線断面図である。さらに、図６、７は、本変形例の主要部を取り出して示す、図４と同様の図である。
【００７４】
これらの図に示すように、本変形例に係る車両用灯具１１０は、その基本的な構成については上記実施形態の場合と同様であるが、以下の点において上記実施形態の場合と異なっている。
【００７５】
すなわち、本変形例においては、第１および第２光源１２０Ａ、１２０Ｂと並列の位置関係で、第２光源１２０Ｂに関して第１光源１２０Ａとは反対側（すなわち図４において右側）に第３光源１２０Ｃが配置されている。また本変形例においては、光源側レンズ１３０が第３光源１２０Ｃの前方に位置する第５領域１３０Ｃを備えており、出射側レンズ１４０が第３光源１２０Ｃの前方に位置する第６領域１４０Ｃを備えている。さらに本変形例においては、光源側レンズ１３０および出射側レンズ１４０が上下方向に比較的長めに形成されている。
【００７６】
そして本変形例においては、第１および第３光源１２０Ａ、１２０Ｃがアンバ色の発光ダイオードで構成されており、第２光源１２０Ｂが白色の発光ダイオードで構成されている。
【００７７】
図５に示すように、これら第１、第２および第３光源１２０Ａ、１２０Ｂ、１２０Ｃは、上下方向に３組配置されている。これら３組の第１、第２および第３光源１２０Ａ、１２０Ｂ、１２０Ｃは、単一の基板１２２上に配置されている。
【００７８】
そして、本変形例に係る車両用灯具１０は、フロントターンシグナルランプとしての機能とデイタイムランニングランプとしての機能とを果たすようになっている。その際、この車両用灯具１０は、フロントターンシグナルランプの点灯モードでは、図６に示すように、第１光源１２０Ａおよび第３光源１２０Ｃが同時に点灯し、デイタイムランニングランプの点灯モードでは、図７に示すように、第２光源１２０Ｂのみが点灯するようになっている。
【００７９】
図６に示すように、光源側レンズ１３０の第５領域１３０Ｃは、その前面１３０Ｃｂの一部が、該第５領域１３０Ｃに入射した第３光源１２０Ｃからの光を、出射側レンズ１４０の第２領域１４０Ｂへ向けて偏向出射させる第５偏向部１３０Ｃｂ１、１３０Ｃｂ２として構成されている。また、出射側レンズ１４０の第２領域１４０Ｂは、その後面１４０Ｂａの一部が、第５偏向部１３０Ｃｂ１、１３０Ｃｂ２から偏向出射された第３光源１２０Ｃからの光を灯具正面方向寄りの方向（具体的には灯具正面方向）へ向けて偏向入射させる第６偏向部１４０Ｂａ３、１３０Ｂａ４として構成されている。
【００８０】
図７に示すように、光源側レンズ１３０における第２光源１２０Ｂの前方に位置する第３領域１３０Ｂは、その前面１３０Ｂｂの一部が、該第３領域１３０Ｂに入射した第２光源１２０Ｂからの光を、出射側レンズ１４０における第３光源１２０Ｃの前方に位置する第６領域１４０Ｃへ向けて偏向出射させる第７偏向部１３０Ｂｂ３、１３０Ｂｂ４として構成されている。また、出射側レンズ１４０の第６領域１４０Ｃは、その後面１４０Ｃａの一部が、第７偏向部１３０Ｂｂ３、１３０Ｂｂ４から偏向出射された第２光源１２０Ｂからの光を灯具正面方向寄りの方向（具体的には灯具正面方向）へ向けて偏向入射させる第８偏向部１４０Ｃａ１、１４０Ｃａ２として構成されている。
【００８１】
その際、本変形例においては、第２光源１２０Ｂからの光の一部を、光源側レンズ１３０の第３領域１３０Ｂにおいて、出射側レンズ１４０の第４領域１４０Ａおよび第６領域１４０Ｃの双方へ向けて偏向出射させる必要があるので、図７において、第３偏向部１３０Ｂｂ１、１３０Ｂｂ２は軸線ＡｘＢの左側に配置されており、第７偏向部１３０Ｂｂ３、１３０Ｂｂ４は軸線ＡｘＢの右側において、これらと左右対称形状で配置されている。なお、出射側レンズ１４０の第６領域１４０Ｃの後面１４０Ｃａの第８偏向部１４０Ｃａ１、１４０Ｃａ２は、その第４領域１４０Ａの後面１４０Ａａの第４偏向部１４０Ａａ１、１４０Ａａ２と左右対称形状で配置されている。
【００８２】
また本変形例においては、出射側レンズ１４０の第２領域１４０Ｂにおいて、光源側レンズ１３０の第１領域１３０Ａの第１偏向部１３０Ａｂ１、１３０Ａｂ２から偏向出射した第１光源１２０Ａからの光と、光源側レンズ１３０の第５領域１３０Ｃの第５偏向部１３０Ｃｂ１、１３０Ｃｂ２から偏向出射した第３光源１２０Ｃからの光とを、灯具正面方向寄りの方向へ向けて偏向出射させる必要があるので、図６において、第２偏向部１４０Ｂａ１、１４０Ｂａ２は軸線ＡｘＢの左側に配置されており、第６偏向部１４０Ｂａ３、１４０Ｂａ４は軸線ＡｘＢの右側において、これらと左右対称形状で配置されている。なお、光源側レンズ１３０の第５領域１３０Ｃの前面１３０Ｃｂの第５偏向部１３０Ｃｂ１、１３０Ｃｂ２は、その第１領域１３０Ａの前面１３０Ａｂの第１偏向部１３０Ａｂ１、１３０Ａｂ２と左右対称形状で配置されている。
【００８３】
次に、本変形例の作用効果について説明する。
【００８４】
本変形例に係る車両用灯具１１０において、出射側レンズ１４０は、第３光源１２０Ｃが点灯すると、光源側レンズ１３０の第５領域１３０Ｃをそのまま通過した光によって、第３光源１２０Ｃの前方に位置する第６領域１４０Ｃが光って見えるだけでなく、第２光源１２０Ｂの前方に位置する第２領域１４０Ｂも、その第６偏向部１４０Ｂａ３、１３０Ｂａ４から出射する光によって、その一部が光って見えることとなる。そしてこれにより出射側レンズ１４０の発光領域を拡大させることができる。
【００８５】
また、出射側レンズ１４０は、第２光源１２０Ｂが点灯すると、光源側レンズ１３０の第３領域１３０Ｂをそのまま通過した光によって、その前方に位置する第２領域１４０Ｂが光って見えることとなる。
【００８６】
このように、第３光源１２０Ｃの点灯時に、第２光源１２０Ｂの前方に位置する出射側レンズ１４０の第２領域１４０Ｂの一部を新たな発光面として利用することにより、第２光源１２０Ｂの点灯時における第２領域１４０Ｂの発光機能を維持した上で、かつ、限られたスペースの中で、第３光源１２０Ｃの点灯時における出射側レンズ１４０の発光領域を拡大させることができる。しかも、この発光領域の拡大を、光源側レンズ１３０の第５偏向部１３０Ｃｂ１、１３０Ｃｂ２と出射側レンズ４０の第６偏向部１４０Ｂａ３、１３０Ｂａ４との組合せで実現するようになっているので、第３光源１２０Ｃからの出射光の制御を精度良く行うことができる。
【００８７】
さらに、第２光源１２０Ｂの点灯時においても、第３光源１２０Ｃの前方に位置する出射側レンズ１４０の第６領域１４０Ｃの一部を新たな発光面として利用することにより、第３光源１２０Ｃの点灯時における第６領域１４０Ｃの発光機能を維持した上で、かつ、限られたスペースの中で、第２光源１２０Ｂの点灯時における出射側レンズ１４０の発光領域をさらに拡大させることができる。しかも、この発光領域の拡大を、光源側レンズ１３０の第７偏向部１３０Ｂｂ３、１３０Ｂｂ４と出射側レンズ１４０の第８偏向部１４０Ｃａ１、１４０Ｃａ２との組合せで実現するようになっているので、第２光源１２０Ｂからの出射光の制御を精度良く行うことができる。
【００８８】
そして本変形例においては、図６に示すように、第１光源１２０Ａおよび第３光源１２０Ｃを同時に点灯させることにより、出射側レンズ１４０をフロントターンシグナルランプに適したアンバ色で広範囲にわたって発光させることができ、一方、図７に示すように、第２光源１２０Ｂを点灯させることにより、出射側レンズ１４０をデイタイムランニングランプに適した白色で広範囲にわたって発光させることができる。
【００８９】
また本変形例においては、３組の第１、第２および第３光源１２０Ａ、１２０Ｂ、１２０Ｃが配置されているので、出射側レンズ１４０を広範囲にわたって明るく発光させることができ、しかも、これら３組の第１、第２および第３光源１２０Ａ、１２０Ｂ、１２０Ｃは単一の基板１２２上に配置されているので、これらを省スペースで効率良く配置することができる。
【００９０】
なお、上記実施形態および変形例において諸元として示した数値は一例にすぎず、これらを適宜異なる値に設定してもよいことはもちろんである。
【符号の説明】
【００９１】
１０、１１０  車両用灯具
１２  ランプボディ
１４  透光カバー
２０Ａ、１２０Ａ  第１光源
２０Ｂ、１２０Ｂ  第２光源
２２、１２２  基板
３０、１３０  光源側レンズ
３０Ａ、１３０Ａ  第１領域
３０Ａａ、３０Ｂａ、４０Ａａ、４０Ｂａ、１４０Ａａ、１４０Ｂａ、１４０Ｃａ  後面
３０Ａａ１、３０Ａａ２、３０Ｂａ１、３０Ｂａ２  入射部
３０Ａａ３、３０Ｂａ３  反射部
３０Ａｂ、３０Ｂｂ、４０Ａｂ、４０Ｂｂ、１３０Ａｂ、１３０Ｂｂ、１３０Ｃｂ  前面
３０Ａｂ０、３０Ｂｂ０、４０Ａａ０、４０Ｂａ０  基準面部
３０Ａｂ１、３０Ａｂ２、１３０Ａｂ１、１３０Ａｂ２  第１偏向部
３０Ｂ、１３０Ｂ  第３領域
３０Ｂｂ１、３０Ｂｂ２、１３０Ｂｂ１、１３０Ｂｂ２  第３偏向部
４０、１４０  出射側レンズ
４０Ａ、１４０Ａ  第４領域
４０Ａａ１、４０Ａａ２、１４０Ａａ１、１４０Ａａ２  第４偏向部
４０Ａｂｓ、４０Ｂｂｓ  魚眼レンズ部
４０Ｂ、１４０Ｂ  第２領域
４０Ｂａ１、４０Ｂａ２、１４０Ｂａ１、１４０Ｂａ２  第２偏向部
１２０Ｃ  第３光源
１３０Ｂｂ３、１３０Ｂｂ４  第７偏向部
１３０Ｃ  第５領域
１３０Ｃｂ１、１３０Ｃｂ２  第５偏向部
１４０Ｂａ３、１４０Ｂａ４  第６偏向部
１４０Ｃ  第６領域
１４０Ｃａ１、１４０Ｃａ２  第８偏向部
ＡｘＡ、ＡｘＢ  軸線
【図１】
2013120665.tif 000003
【図２】
2013120665.tif 000004
【図３】
2013120665.tif 000005
【図４】
2013120665.tif 000006
【図５】
2013120665.tif 000007
【図６】
2013120665.tif 000008
【図７】
2013120665.tif 000009